(57)【要約】【課題】接着シートごとダイシングして接着シートが貼着された半導体チップを形成することができ、接着シートの熱応力緩和機能を確保しつつ半導体チップの実装信頼性の低下を抑制できる半導体装置の製造方法及び半導体装置を提供する。【解決手段】半導体ウェハ（７０）の一面（７２）に接着シート（５０）を貼着した状態で、接着シート（５０）ごと半導体ウェハ（７０）をダイシングすることにより、接着シート（５０）が貼着された半導体チップ（４０）を形成するダイシング工程と、貼着された接着シート（５０）により、半導体チップ（４０）を支持部材（３０）の一面に接着固定する固定工程を備える。そして、接着シート（５０）として、空隙（５１ａ）の形成された多孔質層（５１）を少なくとも有するとともに、空隙（５１ａ）の直径が、水蒸気の粒子径よりも大きく、ダイシング時に供給される切削水（Ｗ１）の粒子径よりも小さいものを用いる。【選択図】図４
2012164771.tif 000002
【特許請求の範囲】
【請求項１】
半導体ウェハ（７０）の一面（７２）に接着シート（５０）を貼着した状態で、前記接着シート（５０）ごと前記半導体ウェハ（７０）をダイシングすることにより、前記接着シート（５０）が貼着された半導体チップ（４０）を形成するダイシング工程と、
貼着された前記接着シート（５０）により、前記半導体チップ（４０）を支持部材（３０）の一面に接着固定する固定工程と、を備える半導体装置の製造方法であって、
前記接着シート（５０）として、空隙（５１ａ）の形成された多孔質層（５１）を少なくとも有するとともに、前記空隙（５１ａ）の直径が、水蒸気の粒子径よりも大きく、前記ダイシング時に供給される切削水（Ｗ１）の粒子径よりも小さい接着シート（５０）を用いることを特徴とする半導体装置の製造方法。
【請求項２】
前記接着シート（５０）として、前記多孔質層（５１）の両面に、樹脂接着層（５２，５３）が形成された３層構造の接着シートを用いることを特徴とする請求項１に記載の半導体装置の製造方法。
【請求項３】
前記多孔質層（５１）が、前記樹脂接着層（５２，５３）のうちの少なくとも前記半導体チップ（４０）側の樹脂接着層（５２）よりも厚いことを特徴とする請求項２に記載の半導体装置の製造方法。
【請求項４】
前記多孔質層（５１）は、ポリテトラフルオロエチレンからなることを特徴とする請求項２又は請求項３に記載の半導体装置の製造方法。
【請求項５】
前記半導体チップ（４０）は、力学量の印加に応じた信号を出力するセンサチップであることを特徴とする請求項１〜４いずれか１項に記載の半導体装置の製造方法。
【請求項６】
支持部材（３０）と、
前記支持部材（３０）の一面上に位置する半導体チップ（４０）と、
前記支持部材（３０）と前記半導体チップ（４０）の間に配置され、前記半導体チップ（４０）を前記支持部材（３０）に接着固定する接着シート（５０）と、を備える半導体装置であって、
前記接着シート（５０）は、空隙（５１ａ）の形成された多孔質層（５１）を少なくとも有するとともに、前記空隙（５１ａ）の直径が、水蒸気の粒子径よりも大きく、半導体ウェハ（７０）をダイシングして前記半導体チップ（４０）とする際の切削水（Ｗ１）の粒子径よりも小さいことを特徴とする半導体装置。
【請求項７】
前記接着シート（５０）は、前記多孔質層（５１）の両面に、樹脂接着層（５２，５３）が形成された３層構造の接着シートであることを特徴とする請求項６に記載の半導体装置。
【請求項８】
前記多孔質層（５１）が、前記樹脂接着層（５２，５３）のうちの少なくとも前記半導体チップ（４０）側の樹脂接着層（５２）よりも厚いことを特徴とする請求項７に記載の半導体装置。
【請求項９】
前記多孔質層（５１）は、ポリテトラフルオロエチレンからなることを特徴とする請求項７又は請求項８に記載の半導体装置。
【請求項１０】
前記半導体チップ（４０）は、力学量の印加に応じた信号を出力するセンサチップであることを特徴とする請求項６〜９いずれか１項に記載の半導体装置。
【請求項１１】
前記支持部材（３０）は回路チップであることを特徴とする請求項６〜１０いずれか１項に記載の半導体装置。
【請求項１２】
パッケージ（２０）上に搭載された前記回路チップ（３０）の一面上に、前記接着シート（５０）を介して前記半導体チップ（４０）が固定されていることを特徴とする請求項１１に記載の半導体装置。
【発明の詳細な説明】
【技術分野】
【０００１】
本発明は、支持部材に半導体チップを接着固定するための接着シートごと半導体ウェハをダイシングすることにより、接着シートが貼着された半導体チップを形成するダイシング工程を備えた半導体装置の製造方法及び半導体装置に関する。
【背景技術】
【０００２】
従来、特許文献１に示されるように、支持部材に半導体チップを接着固定するための接着シートごと半導体ウェハをダイシングすることにより、接着シートが貼着された半導体チップを形成するダイシング工程を備えた半導体装置の製造方法が知られている。
【０００３】
特許文献１では、接着シート（接着フィルム）として、第１の層と第２の層の２層構造をなし、半導体チップ側の第１の層が第２の層よりも低い弾性を有するとともに、第２の層が第１の層よりも吸水性が小さいものを用いる。そして、ダイシング工程後、半導体チップ（センサチップ）を支持部材（パッケージ）上に搭載し、第２の層にて接着することで、半導体装置（半導体力学量センサ装置）を形成する。
【先行技術文献】
【特許文献】
【０００４】
【特許文献１】特開２００７−１６３２１５号公報
【発明の概要】
【発明が解決しようとする課題】
【０００５】
特許文献１では、低弾性の第１の層により、支持部材側から半導体チップへ伝わる熱応力が緩和される。このため、熱応力の緩和機能を高めようとすると、低弾性の第１の層を厚くすることとなり、接着シートごと半導体ウェハをダイシングするのが困難となる。
【０００６】
また、吸水性の小さい第２の層により、第１の層がダイシング時の切削水から保護される。これにより、接着シート（第１の層）の弾性の劣化が抑制される。しかしながら、第１の層は第２の層よりも吸湿しやすいため、例えばリフロー実装時に吸湿した水分が気化（水蒸気化）すると、ボイドが生じて支持部材に対する半導体チップの実装信頼性が低下する。
【０００７】
本発明は上記問題点に鑑み、接着シートごとダイシングして接着シートが貼着された半導体チップを形成することができ、接着シートの熱応力緩和機能を確保しつつ半導体チップの実装信頼性の低下を抑制できる半導体装置の製造方法及び半導体装置を提供することを目的とする。
【課題を解決するための手段】
【０００８】
上記目的を達成する為に請求項１に記載の発明は、
半導体ウェハ（７０）の一面（７２）に接着シート（５０）を貼着した状態で、接着シート（５０）ごと半導体ウェハ（７０）をダイシングすることにより、接着シート（５０）が貼着された半導体チップ（４０）を形成するダイシング工程と、
貼着された接着シート（５０）により、半導体チップ（４０）を支持部材（３０）の一面に接着固定する固定工程と、を備える半導体装置の製造方法であって、
接着シート（５０）として、空隙（５１ａ）の形成された多孔質層（５１）を少なくとも有するとともに、空隙（５１ａ）の直径が、水蒸気の粒子径よりも大きく、ダイシング時に供給される切削水（Ｗ１）の粒子径よりも小さい接着シートを用いることを特徴とする。
【０００９】
本発明では、多孔質層（５１）を有する接着シート（５０）を採用するため、ヤング率の高い（高弾性）の材料を選択して半導体ウェハ（７０）との一括ダイシングを可能としつつ、多孔質構造により接着シート（５０）に熱応力緩和機能をもたせることができる。
【００１０】
また、多孔質層（５１）の空隙（５１ａ）の直径が水蒸気の粒子径よりも大きいため、接着シート（５０）が吸湿した水分を、後工程の例えばリフロー時に、水蒸気として接着シート（５０）の側面から外部に逃がし、ボイドの発生を抑制することができる。これにより、支持部材（３０）に対する半導体チップ（４０）の実装信頼性の低下を抑制することができる。
【００１１】
また、多孔質層（５１）の空隙（５１ａ）の直径はダイシング時に供給される切削水（Ｗ１）の粒子径よりも小さいため、ダイシング時において切削水（Ｗ１）が多孔質層（５１）内に浸入するのを抑制することができる。このため、吸湿による水分量に較べて大量の水（切削水）が多孔質層（５１）内に浸入し、これにより接着シート（５０）において熱応力緩和機能を発揮する多孔質層（５１）部分の弾性が劣化するのを抑制することができる。これによっても、接着シート（５０）の熱応力緩和機能を確保することができる。
【００１２】
以上により、接着シート（５０）ごとダイシングして接着シート（５０）が貼着された半導体チップ（４０）を形成することができ、接着シート（５０）の熱応力緩和機能を確保しつつ半導体チップ（４０）の実装信頼性の低下を抑制することができる。
【００１３】
請求項２に記載のように、接着シート（５０）として、多孔質層（５１）の両面に、樹脂接着層（５２，５３）が形成された３層構造の接着シートを用いると良い。
【００１４】
これによれば、多孔質層（５１）の材料選択の自由度が向上する。なお、多孔質層（５１）が、接着性を有する樹脂材料からなる場合には、樹脂接着層（５２，５３）を不要とすることもできる。
【００１５】
請求項３に記載のように、多孔質層（５１）が、樹脂接着層（５２，５３）のうちの少なくとも半導体チップ（４０）側の樹脂接着層（５２）よりも厚いことが好ましい。
【００１６】
半導体チップ（４０）側の樹脂接着層（５２）は多孔質層（５１）と半導体チップ（４０）の間に位置するため、この樹脂接着層（５２）が厚いと、例えば樹脂接着層（５２）と半導体チップ（４０）の線膨張係数の相違による熱応力が大きくなる。これに対し、本発明によれば、樹脂接着層（５２）の影響を極力小さくすることができる。
【００１７】
具体的には、請求項４に記載のように、多孔質層（５１）がポリテトラフルオロエチレン（ＰＴＦＥ）からなる接着シート（５０）を採用することができる。
【００１８】
請求項５に記載のように、半導体チップ（４０）として、力学量の印加に応じた信号を出力するセンサチップを採用することができる。このようなセンサチップ（４０）は、熱応力の影響を受けやすい（特性が変動しやすい）が、上記発明によれば、接着シート（５０）により熱応力を低減することができる。
【００１９】
次に、請求項６に記載の発明は、
支持部材（３０）と、
支持部材（３０）の一面上に位置する半導体チップ（４０）と、
支持部材（３０）と半導体チップ（４０）の間に配置され、半導体チップ（４０）を支持部材（３０）に接着固定する接着シート（５０）と、を備える半導体装置であって、
接着シート（５０）は、空隙（５１ａ）の形成された多孔質層（５１）を少なくとも有するとともに、空隙（５１ａ）の直径が、水蒸気の粒子径よりも大きく、半導体ウェハ（７０）をダイシングして半導体チップ（４０）とする際の切削水（Ｗ１）の粒子径よりも小さいことを特徴とする。
【００２０】
本発明の作用効果は、請求項１に記載の発明の作用効果と同じであるのでその記載を省略する。
【００２１】
また、請求項７〜１０に記載の発明の作用効果は、請求項２〜５に記載の発明の作用効果とそれぞれ同じであるので、その記載を省略する。
【００２２】
請求項１１に記載のように、支持部材（３０）として回路チップを採用することができる。また、請求項１２に記載のように、パッケージ（２０）上に搭載された回路チップ（３０）の一面上に、接着シート（５０）を介して半導体チップ（４０）が固定された構成に好適である。なお、支持部材（３０）としてのパッケージに半導体チップ（４０）が接着固定される構成を採用することもできる。また、半導体チップ（４０）が、支持部材（３０）としての配線基板に接着固定される構成を採用することもできる。
【図面の簡単な説明】
【００２３】
【図１】本発明の一実施形態に係るセンサ装置の概略構成を示す断面図である。
【図２】接着シートの概略構成を示す断面図である。
【図３】半導体ウェハに接着シートを貼り付けた状態を示す図であり、（ａ）は上面図、（ｂ）は（ａ）の側面図である。
【図４】ダイシング工程を示す断面図である。
【発明を実施するための形態】
【００２４】
以下、本発明の実施の形態を、図面を参照して説明する。なお、以下の各図相互において互いに同一もしくは均等である部分に、同一符号を付与する。
【００２５】
図１に示すセンサ装置１０は、要部として、パッケージ２０と、パッケージ２０に搭載された回路チップ３０と、この回路チップ３０に接着シート５０を介して接着固定されたセンサチップ４０と、を備える。このように、パッケージ２０内に、回路チップと３０とセンサチップ４０が収容されてセンサ装置１０が構成されている。
【００２６】
なお、センサチップ４０が、特許請求の範囲に記載の半導体チップに相当し、回路チップ３０が特許請求の範囲に記載の支持部材に相当する。すなわち、センサ装置１０のうち、センサチップ４０と回路チップ３０とを接着シート５０により接着してなる構造体の部分が、特許請求の範囲に記載の半導体装置に相当する。
【００２７】
パッケージ２０は、センサチップ４０及び回路チップ３０を収容するものである。このパッケージ２０は、セラミックや樹脂などからなる。本実施形態では、パッケージ２０が、アルミナなどのセラミック層が複数積層されてなる積層パッケージとして構成されており、各セラミック層の表面や各セラミック層に形成されたスルーホールの内部などに、図示しない配線が形成されている。そして、この配線を介してセンサ装置１０と外部機器とが電気的に接続可能となっている。
【００２８】
なお、図１に示す符号２１は、パッケージ２０の開口周縁部に、溶接やロウ付けなどにより取り付けられたリッド（蓋）である。リッド２１の構成材料としては、特に限定されず、金属、樹脂、セラミックなどを採用することができる。そして、このリッド２１の取付けにより、パッケージ２０の内部が封止されている。
【００２９】
パッケージ２０の内部底面には、回路チップ３０が搭載され、接着剤６０により固定されている。この回路チップ３０は、センサチップ４０から出力された信号を処理するための回路などが形成されたものであり、シリコン等の半導体基板にＭＯＳＦＥＴなど素子を形成して構成されている。
【００３０】
回路チップ３０におけるパッケージ搭載面と反対の面上には、接着シート５０を介してセンサチップ４０が配置されている。そして、センサチップ４０は、接着シート５０により回路チップ３０に接着固定されている。また、センサチップ４０や回路チップ３０の図示しないパッドと、パッケージ２０の配線が、金やアルミニウムなどのボンディングワイヤ６１により、電気的に接続されている。
【００３１】
センサチップ４０は、力学量の印加に応じた信号を出力するとともに、回路チップ３０側からの熱応力を受けると、その出力が変動する力学量検出部を有する。具体的には、力学量の印加を受けて変位する可動部を備えるもの、例えば静電容量式加速度センサチップ、角速度センサチップ、圧力センサチップなどを採用することができる。また、ピエゾ抵抗効果を利用したセンサチップ、ＣＭＯＳなどのイメージセンサチップを採用することもできる。本実施形態では、ＳＯＩ（Silicon On Insulator）基板を用いた周知の静電容量式加速度センサチップを採用している。
【００３２】
接着シート５０は、センサチップ４０と回路チップ３０を接着するものであり、少なくとも多孔質層５１を有する。本実施形態では、図１に示されるように、センサチップ４０におけるセンシング部（可動部）が形成された面４１と反対の面４２に接着されている。また、空隙５１ａの形成された多孔質層５１だけでなく、多孔質層５１の両面に形成された樹脂接着層５２，５３を有する３層構造となっている。
【００３３】
このように多孔質層５１とは別に樹脂接着層５２，５３を有する構成を採用すると、多孔質層５１の構成材料として、接着作用を有さない材料を選択することも可能となる。このため、多孔質層５１の材料選択の自由度が向上する。
【００３４】
多孔質層５１及び樹脂接着層５２，５２は、ともに比較的ヤング率の高い材料を用いて形成される。具体的には、Ｇ（ギガ）Ｐａオーダーの材料を用いて形成される。このため、後述する半導体ウェハと一括でダイシングを行うことができる。
【００３５】
また、接着シート５０は、センサ装置１０として中間層である多孔質層５１の形状を保持している。すなわち、多孔質層５１の形状を保持した状態で樹脂接着層５２，５３を溶融、硬化し、センサチップ４０を回路チップ３０に接着固定する。このため、多孔質層５１の構成材料としては、センサチップ４０を回路チップ３０に接着固定した後においてもその形状が保持されるような材料（センサ装置１０として、空隙５１ａを有する構成）が好ましい。一方、樹脂接着層５２，５３の構成材料としては、センサチップ４０を回路チップ３０に接着すべく、接着作用を有する樹脂材料であって、多孔質層５１の形状保持の観点から多孔質層５１の構成材料よりも融点が低い材料が好ましい。
【００３６】
本実施形態では、一例として、多孔質層５１がポリテトラフルオロエチレン（ＰＴＦＥ）からなり、樹脂接着層５２，５３がエポキシ樹脂からなる。このような３層構造の接着シート５０としては、ＰＴＦＥからなる多孔質シートをエポキシ樹脂に含浸し、空隙５１ａが樹脂にて埋められた部分を樹脂接着層５２，５３、樹脂接着層５２，５３間の空隙５１ａが残った部分を多孔質層５１としたものを採用することができる。また、ＰＴＦＥからなるシート状の多孔質層５１に、樹脂接着フィルムを貼り付けして樹脂接着層５２，５３としたものを採用することもできる。
【００３７】
また、接着シート５０を構成する多孔質層５１の空隙５１ａの直径は、水蒸気の粒子径よりも大きく、後述する半導体ウェハ７０をダイシングしてセンサチップ４０とする際の切削水Ｗ１の粒子径よりも小さいものとなっている。
【００３８】
ここで、水蒸気の粒子径とは、気体状態の水の粒子径である。本実施形態では、水蒸気の粒子径を水分子の直径（約０．３８ｎｍ）で置き換え、空隙５１ａの直径を水分子の直径よりも大きくしている。一方、切削水Ｗ１の粒子径とは、ダイシング時に用いる切削水Ｗ１の粒子径である。ダイシング時の切削水Ｗ１の粒子径は数十μｍ程度であるため、本実施形態では、ダイシング時の切削水Ｗ１の粒子径を約２０μｍとし、空隙５１ａの直径をこの切削水Ｗ１の粒子径よりも小さくしている。
【００３９】
上記したように、空隙５１ａを有する多孔質層５１は、比較的ヤング率の高い材料を用いて形成されるものの多孔質構造を有するため、接着シート５０の厚さ方向及び厚さ方向に垂直な方向に弾性を有する。したがって、センサ装置１０に温度変化が生じ、センサチップ４０、回路チップ３０、パッケージ２０の線膨張係数の相違により、センサチップ４０に熱応力が加わろうとしても、多孔質層５１の弾性によりセンサチップ４０に伝達する熱応力が緩和される。すなわち、接着シート５０によってセンサ特性の変動を抑制することができる。
【００４０】
また、センサチップ４０側の樹脂接着層５２は多孔質層５１とセンサチップ４０の間に位置する。このため樹脂接着層５２が厚いと、樹脂接着層５２とセンサチップ４０の線膨張係数の相違による熱応力が大きくなる。これに対し、本実施形態では、樹脂接着層５２の厚さを、多孔質層５１の厚さよりも薄くしている。したがって、樹脂接着層５２の影響を極力小さくすることができる。なお、樹脂接着層５３については、樹脂接着層５２の厚さと同等としており、２つの樹脂接着層５２，５３の厚さの和よりも、多孔質層５１のほうが厚くなっている。
【００４１】
次に、上記したセンサ装置１０、特にセンサチップ４０と回路チップ３０とを接着シート５０により接着してなる構造体（半導体装置）の製造方法について、図１、図３、及び図４を用いて説明する。
【００４２】
先ず、半導体ウェハ７０を準備する。半導体ウェハ７０は、上記したＳＯＩ基板などの半導体基板を周知の半導体製造技術を用いて加工してなるもので、図３（ａ）に示されるように、センサチップ４０がチップ単位毎に複数個形成されている。なお、各センサチップ４０は、スクライブ領域、すなわちカットされる部位であるダイシングラインＤＬによって区画されている。
【００４３】
また、多孔質層５１及び樹脂接着層５２，５３を有する３層構造の接着シート５０を準備する。そして、図３（ｂ）に示されるように、半導体ウェハ７０のセンシング部形成面７１と反対の面７２に対して樹脂接着層５２が接するように接着シート５０を半導体ウェハ７０の一面７２に貼り付ける。このとき、接着シート５０の半導体ウェハ７０への貼り付けは、加熱圧着により行われる。具体的には、接着シート５０を介してセンサチップ４０を回路チップ３０に接着固定する際の加熱加圧条件よりも少ない熱量で実施する。これにより、回路チップ３０に接する樹脂接着層５３の接着性が低下するのを抑制することができる。
【００４４】
なお、半導体ウェハ７０の一面７２に対し、樹脂接着層５２、多孔質層５１、樹脂接着層５３の順に貼り付けることで、半導体ウェハ７０の一面７２上で３層構造の接着シート５０としても良い。このときも、多孔質層５１への樹脂接着層５２，５３の貼り付けは、加熱圧着により行われる。したがって、樹脂接着層５３を多孔質層５１に貼り付ける際には、接着シート５０を介してセンサチップ４０を回路チップ３０に接着固定する際の加熱加圧条件よりも少ない熱量で実施することが好ましい。
【００４５】
次いで、図４に示されるように、接着シート５０が貼り付けられた半導体ウェハ７０をダイシング装置の支持台８０にセットする。ここで、半導体ウェハ７０は、センサチップ４０におけるセンシング部を保護するなどの目的から、接着シート５０側を上に向けて（一面７１を搭載面として）セットされる。このため、接着シート５０側からダイシングされる。
【００４６】
また、半導体ウェハ７０は、マスク８１を介して支持台８０上にセットされる。このマスク８１は金属からなり、上記ダイシングラインＤＬに対応した形状を有し、且つ、センサチップ４０に対応した開口部８２を有する。
【００４７】
そして、図４に示されるセット状態において、ダイシングソー８３を用いて、半導体ウェハ７０を接着シート５０ごとチップ単位に切り分ける。本実施形態では、上記したように、接着シート５０を構成する各層５１〜５３が、いずれもＧ（ギガ）Ｐａオーダーのヤング率を有する材料を用いて構成されるため、半導体ウェハ７０と一括で好適にダイシングを行うことができる。これにより、組み付け工数を低減することができる。また、低弾性の接着シートを用いないので、シートのちぎれなどが生じにくく、これにより製造コストを低減することもできる。
【００４８】
このダイシングでは、接着シート５０側から切削水Ｗ１が供給される。これに対し、本実施形態では、多孔質層５１の空隙５１ａが、切削水Ｗ１の粒子径（例えば２０μｍ）よりも小さい直径を有している。このため、接着シート５０の側面やダイシングソー８３による切削箇所などから、応力緩和機能を果たす多孔質層５１に切削水Ｗ１が浸入しない。したがって、切削水Ｗ１の浸入による多孔質層５１、ひいては接着シート５０の弾性の劣化を抑制することができる。
【００４９】
そして、このダイシングにより、接着シート５０が貼り付けられたセンサチップ４０が形成される。
【００５０】
一方、図１に示されるように、パッケージ２０の内部底面に回路チップ３０を搭載し、接着剤６０により固定する。そして、上記接着シート５０が貼り付いたセンサチップ４０を、樹脂接着層５３側を搭載面として回路チップ３０上に配置する。このとき、マウンタなどを用いて加熱加圧を行う。その後、オーブンなどを用いて加熱を行い、接着シート５０を本硬化する。これにより、センサチップ４０は、接着シート５０により、パッケージ２０上の回路チップ３０に接着固定される。
【００５１】
次いで、アルミや金等の一般的なボンディングワイヤ６１により、センサチップ４０及び回路チップ３０のパッド間、又は、これらパッドとパッケージ２０の配線を、電気的に接続する。そして、パッケージ２０に、リッド２１を溶接することにより、図１に示されるセンサ装置１０を得ることができる。
【００５２】
得られたセンサ装置１０においては、接着シート５０の多孔質層５１の空隙５１ａの直が、水蒸気の粒子径よりも大きいため、接着シート５０（各層５１〜５３）が吸湿した水分を、例えばセンサ装置１０を回路基板にリフロー実装する際に、水蒸気として接着シート５０の側面から外部に逃がすことができる。このため、回路チップ３０とセンサチップ４０の間にボイドが生じるのを抑制し、ひいては回路チップ３０に対するセンサチップ４０の実装信頼性の低下を抑制することができる。
【００５３】
以上、本発明の好ましい実施形態について説明したが、本発明は上記した実施形態になんら制限されることなく、本発明の主旨を逸脱しない範囲において、種々変形して実施することが可能である。
【００５４】
本実施形態では、接着シート５０として、多孔質層５１の両面に、樹脂接着層５２，５３が形成された３層構造の接着シートの例を示した。しかしながら、多孔質層５１が、接着性を有する樹脂材料からなる場合には、樹脂接着層５２，５２を不要、すなわち多孔質層５１単層の接着シート５０を採用することもできる。
【００５５】
本実施形態では、センサチップ４０が、支持部材としての回路チップ３０を介して、パッケージ２０に搭載される例を示した。しかしながら、回路チップ３０を省略し、センサチップ４０が、支持部材としてのパッケージ２０に接着固定される構成を採用することもできる。また、センサチップ４０が、支持部材としての配線基板に接着固定される構成を採用することもできる。
【００５６】
本実施形態では、半導体チップとしてセンサチップ４０の例を示したが、特にセンサチップ４０に限定されるものではない。半導体チップとして例えば回路チップを採用することもできる。
【符号の説明】
【００５７】
１０・・・センサ装置
２０・・・パッケージ
３０・・・回路チップ（支持部材）
４０・・・センサチップ（半導体チップ）
５０・・・接着シート
５１・・・多孔質層
５１ａ・・・空隙
５２，５３・・・樹脂接着層
７０・・・半導体ウェハ
８３・・・ダイシングソー
Ｗ１・・・切削水
【図１】
2012164771.tif 000003
【図２】
2012164771.tif 000004
【図３】
2012164771.tif 000005
【図４】
2012164771.tif 000006